(57)【特許請求の範囲】
【請求項１】
所定方向に列を為して配置される１または２以上の第一突出部を操作面の裏面側に備える操作板と、
上記第一突出部に対向して設けられた導電性シートと、
上記第一突出部に押圧方向で重なる位置にそれぞれ設けられた複数の電極を互いに非接触状態で配置して成る電極群を備える基板と、を有すると共に、
上記導電性シートと上記電極群との間には、所定の隙間が形成され、
上記第一突出部が上記導電性シートを撓ませ、上記導電性シートと上記電極群とを接触させて上記電極群を構成する各電極間の電気抵抗値を小さくすることにより、上記操作板の操作位置を検出するようにし、
上記導電性シートの上記基板に対向する面と反対側の面には、上記第一突出部に対向する位置に凸部を備えることを特徴とする入力部材。
【請求項２】
請求項１に記載の入力部材であって、
前記凸部を、前記操作板の長手方向に延びる直線状のバー部材とすることを特徴とする入力部材。
【請求項３】
請求項１または請求項２に記載の入力部材であって、
前記導電性シートの前記基板側の面において、前記凸部と押圧方向で重ならない位置に、絶縁性の第二突出部を複数備えていることを特徴とする入力部材。
【請求項４】
請求項１から請求項３のいずれか１項に記載の入力部材であって、
前記操作板は、前記第一突出部が並ぶ方向に隣接する複数の操作板用部材から構成され、それら複数の操作板用部材の操作面側を覆う操作面用シートを備えることを特徴とする入力部材。
【請求項５】
所定の方向に並ぶ１または２以上の第一突出部を操作面の裏面側に備える操作板と、
上記第一突出部に対向して設けられた導電性シートと、
上記第一突出部に押圧方向で重なる位置にそれぞれ設けられた複数の電極を互いに非接触状態で位置して成る電極群を備える基板と、を有すると共に、上記導電性シートと上記電極群との間には、所定の隙間が形成され、
上記第一突出部が上記導電性シートを撓ませ、上記導電性シートと上記電極群とを接触させて上記電極群を構成する各電極間の電気抵抗値を小さくすることにより、上記操作板の操作位置を検出するようにし、上記導電性シートの上記基板に対向する面と反対側の面には、上記第一突出部に対向する位置に凸部を備える入力部材と、
当該入力部材の内部若しくは外部に設けられている制御部と、
を備える電子機器であって、
上記制御部は、
上記第一突出部が上記導電性シートをませて、上記電極群と上記導電性シートを電気的に接続する際に、その接続の度合いに応じて変化する電気抵抗値、電圧値若しくは電流値を所定の時間毎に計測する計測手段と、
上記計測手段により計測された計測値若しくはその計測値に連動する数値に基づいて、少なくとも操作位置を特定する位置特定手段と、
上記位置特定手段により特定された上記操作位置と計測時刻との関係により、上記操作板を連続的に触れたスライド動作あるいは上記操作板の所定部分に触れたタッチ動作のいずれか一方がなされたことを特定する操作種類特定手段と、
を備えることを特徴とする電子機器。
【発明の詳細な説明】
【技術分野】
【０００１】
本発明は、入力部材およびそれを備える電子機器に関する。
【背景技術】
【０００２】
従来から、車載用機器、携帯電話機および音響機器等の電子機器を操作するための入力部材としてタッチパネルが用いられている。タッチパネルでは、所望のアイコン等を選択するタッチ動作の他、指をタッチパネルに触れた状態で所望の方向にスライドするスライド動作により各種入力を行うことができる。スライド動作を検出できる入力部材としては、抵抗膜型のタッチパネルを用いるものがある（たとえば、特許文献１を参照）。
【先行技術文献】
【特許文献】
【０００３】
【特許文献１】特開２０１０−９０９５号公報（請求項等）
【発明の概要】
【発明が解決しようとする課題】
【０００４】
しかし、特許文献１の発明には、以下の問題がある。すなわち、ユーザーがある位置に触れるような操作を行った場合に、同じ位置に触れたにも関わらず異なる入力値が入力される場合があるという問題である。抵抗膜型のタッチパネルは、温度等の環境状況により、所定の位置から触れた位置までの抵抗値が変わりうるためである。
【０００５】
本発明は、かかる問題を解消すべくなされたものであって、スライド操作を可能とすると共に、ユーザーが触れた位置毎に所定の入力値を入力できる入力部材および電子機器を提供することを目的とする。
【課題を解決するための手段】
【０００６】
上記目的を達成するために、本発明の入力部材の実施の形態は、所定方向に列を為して配置される１または２以上の第一突出部を操作面の裏面側に備える操作板と、第一突出部に対向して設けられた導電性シートと、第一突出部に押圧方向で重なる位置にそれぞれ設けられた複数の電極を互いに非接触状態で配置して成る電極群を備える基板と、を有すると共に、導電性シートと電極群との間には、所定の隙間が形成されている。
【０００７】
さらに、導電性シートの基板側の面に、絶縁性の第二突出部を複数備え得る。
【０００８】
さらに、電極群は、櫛歯形状の１以上の第１電極と、１以上の第２電極とを互いにかみ合わせるように配置されるように配置され得る。
【０００９】
さらに、導電性シートの基板と対向する面と反対側の面には、第一突出部に対向する位置に凸部を備え得る。
【００１０】
また、本発明の電子機器の実施の形態は、所定方向に並ぶ１または２以上の第一突出部を操作面の裏面側に備える操作板と、第一突出部に対向して設けられた導電性シートと、第一突出部に押圧方向で重なる位置にそれぞれ設けられた複数の電極を互いに非接触状態で配置して成る電極群を備える基板と、を有すると共に、導電性シートと電極群との間には、所定の隙間が形成されている入力部材と、当該入力部材の内部若しくは外部に設けられる制御部と、を備える電子機器であって、制御部は、第一突出部が導電性シートを撓ませて、電極群と導電性シートとを電気的に接続する際に、その接続の度合いに応じて変化する電気抵抗値、電圧値若しくは電流値を所定の時間毎に計測する計測手段と、計測手段により計測された計測値若しくはその計測値に連動する数値に基づいて、少なくとも操作位置を特定する位置特定手段と、位置特定手段により特定された操作位置と計測時刻との関係により、操作板を連続的に触れたスライド動作あるいは操作板の所定部分に触れたタッチ動作のいずれか一方がなされたことを特定する操作種類特定手段と、を備える。
【発明の効果】
【００１１】
本発明は、スライド操作を可能とすると共に、ユーザーが触れた位置毎に所定の入力値を入力できる入力部材および電子機器を提供できる。
【図面の簡単な説明】
【００１２】
【図１】本発明の実施の形態に係る入力部材を備える電子機器の斜視図である。
【図２】本発明の実施の形態に係る入力部材の斜視図である。
【図３】図１の入力部材を図１のＡ−Ａ線で切断した場合の断面図である。
【図４】図１の入力部材の導電シートを裏面側から見た場合の平面図である。
【図５】図１の入力部材の操作板を裏面側から見た場合の平面図である。
【図６】図１の入力部材の基板を表面側から見た場合の平面図である。
【図７】本発明の実施の形態に係る電子機器としての音響機器の模式的な構成を示すブロック図である。
【図８】本発明の実施の形態に係る音響機器の動作の概略的な流れを説明するフローチャートである。
【図９】本実施の形態に係る音響機器の記憶部が有するテーブルの一例である。
【図１０】本実施の形態の変形例に係る操作板の操作面を見た場合の平面図である。
【図１１】本実施の形態の変形例に係る操作板を図３と同様の断面にて示す断面図である。
【発明を実施するための形態】
【００１３】
次に、本発明に係る入力用部材およびそれを備える電子機器の一実施の形態について、図面を参照しながら説明する。以下の実施の形態では、電子機器の一例として車載用の音響機器１の入力部材を例に説明する。
【００１４】
（入力部材の構造）
図１は、本発明の実施の形態に係る車載用の音響機器１の斜視図である。図１に示すように、本実施の形態に係る音響機器１は、入力部材２を備える。
【００１５】
図２は、本発明の実施の形態に係る入力部材２の分解斜視図である。図３は、図１のＡ−Ａ線に沿って操作面に対して垂直な面で入力部材２を切断した場合の断面図である。なお、図３では、見易さを考慮して、各部材の厚さの比率を変更して図示している。また、以後、操作面側を表側、操作面と逆側を裏側という。また、表側から裏側に向かう方向を押圧方向という。
【００１６】
入力部材２は、入力部材２の操作面側に露出する操作板１０、操作板１０の裏面側に対向して配置される導電性シート２０、導電性シート２０の裏面側に対向して配置される基板３０を主に有する。
【００１７】
操作板１０は、ユーザーが触れる部分である。操作板１０としては、たとえば、幅が１．５ｃｍ、長さが１０ｃｍで、長さ方向にて厚さが２〜５０ｍｍで変化する部材を用いることができる。たとえば、操作板１０は、図１〜３で示すように、長さ方向の略中央で最大の厚さを有し、長さ方向両端で最小の厚さを有するような断面凸形状を有する。操作板１０は、局部的に凹ませることができるのであればどのような材料から形成されていても良く、樹脂、金属、あるいはそれらのコンポジットから形成されていても良い。操作板１０は、薄型の弾性シート（不図示）の表面側に固着されて、音響機器１の筺体に固定されてもよい。操作板１０は、裏面側に第一突出部１１を有し、第一突出部１１は、導電性シート２０の方向へ突出している。
【００１８】
第一突出部１１は、直径が２〜１０ｍｍの略半球状の弾性体であり、その球面部分が導電性シート２０の方向へ突出している。合計５個の第一突出部１１ａ，１１ｂ，１１ｃ，１１ｄ，１１ｅ（以後、総称する場合には、「第一突出部１１」と称する。）は、操作板１０の長手方向に列を為して固着されている。特に、各第一突出部１１の中心が操作板１０の長手方向に直線的に並ぶように配置されているのが好ましい。第一突出部１１が基板３０上に接触する際に、押圧力に応じて第一突出部１１が弾性変形できるように、第一突出部１１は、柔軟性に富む材料で構成されている。たとえば、第一突出部１１のショアＡ硬度は、２０度から９０度であるのが好ましい。また、第一突出部１１を構成する部材としては、ウレタン樹脂、熱硬化性エラストマー、熱可塑性エラストマーあるいは天然ゴム等を用いることができ、それらの中でも、熱硬化性エラストマーの一例であるシリコーンゴムが好ましい。
【００１９】
導電性シート２０は、厚さが２ｍｍ程度の導電性の弾性シートである。導電性シート２０は、第一突出部１１により表面側から押圧された際に容易に撓むことができるように、ショアＡ硬度が５０〜９０度である。また、導電性シート２０に導電性を付与するために、導電性シート２０には、導電性材料が分散されている。導電性シート２０に分散される導電性材料としては、たとえば、カーボンブラックあるいは金属等を用いることができるが、粒子径が小さいもの（たとえば、ナノサイズの粒子）、特に、取り扱いが容易なカーボンブラックを用いるのが好ましい。導電性シート２０を構成する母材としては、ウレタン樹脂、熱硬化性エラストマー、熱可塑性エラストマーあるいは天然ゴム等を用いることができ、それらの中でも、熱硬化性エラストマーの一例であるシリコーンゴムが好ましい。導電性材料の混合量は、導電性を高めかつシリコーンゴムの弾性を維持する観点から、シリコーンゴムの材料と当該導電性材料の総重量に対して５〜５０重量％であるのが好ましく、さらには、１５〜３５重量％がより好ましい。導電性シート２０の表面であって、第一突出部１１と対向する位置には、凸部としてのバー部材２１が配置されている。また、導電性シート２０の裏面には、第二突出部としてのスペーサ２２が配置されている。
【００２０】
バー部材２１は、操作板１０の長手方向に延びる直線上の部材であって、導電性シート２０の表面から操作板１０方向へ突出している。操作板１０に押圧力が加えられた際に、第一突出部１１を介して導電性シート２０を撓ませることができるように、バー部材２１は、比較的柔軟性に富む材料から好適に構成される。たとえば、バー部材２１のショアＡ硬度で６０度以上、ショアＤ硬度で９０度以下であるのが好ましい。また、バー部材２１を構成する部材としては、ウレタン樹脂、熱硬化性エラストマー、熱可塑性エラストマーあるいは天然ゴム等を用いることができ、それらの中でも、熱硬化性エラストマーの一例であるシリコーンゴムが好ましい。
【００２１】
図４は、入力部材２の導電性シート２０を裏面側から見た場合の平面図である。なお、図４では、表面側に配置されたバー部材２１の位置を点線で図示している。
【００２２】
スペーサ２２は、導電性シート２０の裏面に複数設けられている絶縁性の部材である。スペーサ２２は、操作板１０に押圧力が加えられていない状態で、導電性シート２０と電極群３１との間に所定の隙間を形成する役割を有する。ここで、「所定の隙間」とは、操作板１０に押圧力が加えられていない状態で、導電性シート２０と電極群３１とが電気的に非接触の状態を保持できる隙間をいい、導電性シート２０の弾性等に基づき適宜設定できる。また、所定の隙間は、ユーザーが操作板１０を押圧した際に、導電性シート２０が撓んで電極群３１に接触できる程度の距離で形成されている。かかる場合には、操作板１０に押圧力が加えられると、導電性シート２０と電極群３１とが容易に電気的に導通状態になる。導電性シート２０と電極群３１とは、非押圧時の状態で、所定の隙間として、好ましくは、２５０μｍ以下、より好ましくは、５〜２００μｍの距離で離間しているのが好ましい。また、スペーサ２２の導電性シート２０面からの突出量を調節することで、所定の隙間の大きさを調節することができる。スペーサ２２は、操作板１０に押圧力が加えられた際に、導電性シート２０と電極群３１との接触を妨げなければ、どのような位置に、どのような密度で配置されていてもよい。しかし、スペーサ２２は、図４に示すように押圧方向でバー部材２１に重ならない位置に設けられるのが好ましい。また、スペーサ２２が、バー部材２１の長さ方向に沿ってその両脇に配置されるのがより好ましい。スペーサ２２は、好適には、絶縁性のインクを用いてドット状等で導電性シート２０の裏面にパターン印刷し、乾燥・硬化させることにより形成される。
【００２３】
図５は、入力部材２の操作板１０を操作面側とは逆側から見た場合の平面図である。図６は、入力部材２の基板３０を操作面側から見た場合の平面図である。
【００２４】
基板３０としては、たとえば、印刷回路基板（ＰＣＢ）を用いることができる。また、基板３０の表面側には、少なくとも第一突出部１１と押圧方向で重なる位置に、電極群３１が形成されている。
【００２５】
電極群３１は、ユーザーの指が操作板１０に触れた際に生じる押圧力変化を、第一突出部１１を介して検出するためのものである。電極群３１は、第１電極３２と、第２電極３３ａ，３３ｂ，３３ｃ，３３ｄ，３３ｅ（以後、総称する場合には、「第２電極３３」と称する。）と、を主に有する。第２電極３３ａ，３３ｂ，３３ｃ，３３ｄ，３３ｅは、第一突出部１１ａ，１１ｂ，１１ｃ，１１ｄ，１１ｅにそれぞれ対向する位置に配置されている。第１電極３２および第２電極３３は、ともに多数の歯を有する櫛歯状の電極であり、互いに接触しないように配置されている。具体的には、電極群３１の長手方向に配設された櫛歯状の第１電極３２は、電極群３１の短手方向に櫛歯の開口側を向けて配置されている。櫛歯状の第２電極３３は、第１電極３２に接触しないように互いに噛みあった状態で近接して配置されている。
【００２６】
ユーザーの指により基板３０方向への荷重が操作板１０に加えられると、第一突出部１１がバー部材２１を押圧する。バー部材２１は、導電性シート２０を撓ませて、第１電極３２と第２電極３３とに接触するので、第１電極３２と第２電極３３とが、導電性シート２０を介して通電状態になる。操作板１０に荷重が加えられると、第一突出部１１がバー部材２１に押しつけられるため、バー部材２１を介して導電性シート２０が撓み、導電性シート２０と電極群３１とが接触する。また、第一突出部１１は、弾性変形しながらバー部材２１に押しつけられるため、操作板１０に加えられる荷重に応じて導電性シート２０と電極群３１との接触面積が増加する。導電性シート２０と電極群３１との接触面積が増加すると、第１電極３２と第２電極３３との間の電気抵抗値が小さくなる。このように、加えられた荷重に応じて第１電極３２と第２電極３３との間にて検出される電気抵抗値が変化する。また、電気抵抗値の変化に伴い、第１電極３２と第２電極３３との間の電圧値若しくは電流値が変化する。
【００２７】
上述の構成を有する入力部材２では、所定の位置を軽く触れる動作（いわゆる、タッチ操作）の他、操作板１０に指を触れた状態で所望の方向にスライドする動作（いわゆる、スライド操作）の両方を検出可能な入力部材２となる。
【００２８】
ユーザーが、タッチ操作を行った場合には、ユーザーが操作板１０の一部を指で軽く触れると、その触れた位置に近い１または複数の第一突出部１１が押し下げられる。ユーザーが触れた位置で最も大きい荷重が加えられ、触れた位置から遠ざかるにつれて加えられる荷重が小さくなる。したがって、第一突出部１１のうち、ユーザーが触れた位置に最も近い位置の第一突出部１１と押圧方向で重なる電極群３１が、導電性シート２０に最も大きい接触面積で接する。そのため、最も電気抵抗値が低下した第２電極３３の位置が、ユーザーが触れた位置であると特定できる。上述の構成を有する入力部材２では、抵抗膜式のタッチパネルと異なり、温度等の環境が変化しても、触れた位置に応じた正確な入力を行うことができる。
【００２９】
また、上述の入力部材２において、ユーザーは、指を操作板１０に触れたままで長手方向にスライドできる。ユーザーが、スライド操作を行った場合には、所定時間以内に隣接する第２電極３３の位置に触れることになる。そのため、所定時間内の各第２電極３３における電気抵抗値、電流値あるいは電圧値等の変化により、スライド操作が行われた旨およびスライド方向を特定できる。
【００３０】
さらに、上述の構成の入力部材２では、厚さが変化する操作板１０を用いた場合であっても、導電性シート２０と電極群３１とが、押圧力に応じた接触面積で接触するのが容易となる。押圧荷重が、バー部材２１を介して導電性シート２０に伝達されやすいからである。また、厚さの大きいあるいは厚さが一定でない操作板１０を用いても、入力の検知が容易であるため、入力部材２は、本実施の形態における音響機器１のように操作面が曲面形状の機器に好適に用いることができる。
【００３１】
（制御部の概略構成）
図７は、図１に示す音響機器１の例示的な構成を示すブロック図である。
【００３２】
制御部４０は、入力部材２における操作の種類（スライド操作またはタッチ操作）を特定し、かつ指が触れた位置を特定する機能を有する。制御部４０は、たとえば、検出部４１、中央処理装置（ＣＰＵ）４２、記憶部４３およびインターフェイス（Ｉ／Ｆ）４４を備える。制御部４０は、入力部材２の基板３０上あるいは基板３０以外に設けられてもよい。
【００３３】
検出部４１は、第１電極３２と第２電極３３との間に電圧を印加し（電圧を印加するための電源は不図示）、第一突出部１１が第２電極３３と第１電極３２とを電気的に接続する際に、その接続の度合いに応じて変化する電気抵抗値、電圧値若しくは電流値を計測値として計測する計測手段として機能する。また、検出部４１は、検出した電圧値等をＣＰＵ４２に送信する。
【００３４】
ＣＰＵ４２は、検出部４１により計測された計測値若しくはその計測値に連動する数値に基づいて、少なくともユーザーが触れた位置を特定する位置特定手段として機能する。計測値に連動する数値とは、計測値に基づいて決定される数値であって、たとえば、計測値に対して決定されるポイントや、計測値から算出される数値である。なお、位置特定手段は、操作位置のみならず、押圧の大きさも特定するようにしても良い。また、ＣＰＵ４２は、検出部４１により計測された現在の計測値を、その計測値が計測された時刻に関連付けて記憶部４３に格納する。さらに、ＣＰＵ４２は、検出部４１が計測した現在の計測値と、記憶部４３に記憶された過去の計測値および過去の計測値が計測された時刻と、を参照し、スライド操作が行われたのか、あるいは、タッチ操作が行われたのかを特定する操作種類特定手段としても機能する。
【００３５】
記憶部４３は、制御部４０の制御用プログラム等を格納する。さらに、記憶部４３は、第一突出部１１が電極群３１と接触した際の、第２電極３３と第１電極３２との間の計測値あるいは計測値に応じた数値、およびその計測値を取得した時刻を、それぞれの第２電極３３毎に記述したテーブル若しくは数式を格納できる。記憶部４３は、さらに、音声データ等を記憶できる。記憶部４３は、たとえば、ＲＯＭ、ＲＡＭ、ＶＲＡＭ、ＥＥＰＲＯＭ等から適宜構成される。
【００３６】
Ｉ／Ｆ４４は、制御部４０の外部からの信号を受信あるいはその外部に信号を送信する部分である。ＣＰＵ４２は、Ｉ／Ｆ４４を介して入力部材２を介して入力された命令を各部に出力する。ここで、「制御部４０の外部」には、「音響機器１の外部」も含まれる。
【００３７】
次に、入力部材２からの入力に基づく制御部４０の処理の流れについて説明する。
【００３８】
（制御部の処理の流れ）
図８は、入力部材２が操作された際の処理の流れを示すフローチャートの一例である。
【００３９】
検出部４１は、一定時間毎に第１電極３２と各第２電極３３との間の電圧値を計測値として計測する（ステップＳ１０１）。たとえば、ユーザーが操作板１０に触れた場合には、ユーザーが触れた位置に近い第２電極３３と第１電極３２とが、第一突出部１１を介して電気的に導通し、他の電極群３１と比較して最も低い電圧値を示す（ただし、その電圧値は、ゼロではない。）。検出部４１は、０．２５秒毎に電圧値を測定し、測定された電圧値等に関する情報をＣＰＵ４２に送信する。
【００４０】
次に、ＣＰＵ４２は、検出部４１から受信した電圧値を検出時刻と関連づけて記憶部４３に記憶する（ステップＳ１０２）。たとえば、図９は、記憶部４３に記憶されているテーブルの一例である。ＣＰＵ４２は、記憶部４３に図９に示すようなテーブルに検出時刻と電圧値とを記憶する。
【００４１】
次にＣＰＵ４２は、記憶部４３に格納された過去の電圧値を参照し、所定の時間内に、隣接した位置で最も低い電圧値が検出されたか否かを判定する（ステップＳ１０３）。たとえば、最も低い電圧値が第２電極３３ｂで検出された場合に、その０．２５秒前の測定で、第２電極３３ａあるいは第２電極３３ｃのいずれかにおいて、最も低い電圧値が検出されたか否かを判定する。
【００４２】
所定の時間内に隣接した位置で最も低い電圧値が検出された場合には（ステップＳ１０３においてＹＥＳ）、ＣＰＵ４２は、スライド操作が行われた旨を認識する（ステップＳ１０４）。次に、ＣＰＵ４２は、スライド方向を特定する（ステップＳ１０５）。たとえば、最も低い電圧値が第２電極３３ｂで検出され、その０．２５秒前の測定においては、第２電極３３ａで最も低い電圧値が検出された場合、制御部４０は、図３の紙面右方向へ指をスライドしたと認識できる。ステップＳ１０５の後には、ＣＰＵ４２は、Ｉ／Ｆ４４を介して右方向へのスライド操作がされた旨を外部へ出力する（ステップＳ１０６）。この結果、たとえば、音響機器１では、制御部４０は、表示部等に表示された曲選択リストをスライド方向に向かってスクロールさせたり、再生音量を上げたりする。
【００４３】
一方、ステップＳ１０３において、所定の時間内に隣接した位置で最も低い電圧値が検出されなかった場合には（ＮＯ）、ＣＰＵ４２は、タッチ操作が行われた旨を認識する（ステップＳ１０７）。そして、ＣＰＵ４２は、最も低い電圧値が検出された第２電極３３の位置、すなわち、どの温度が選択されたかを特定する（ステップＳ１０８）。そして、タッチ操作された旨およびステップＳ１０８で特定した位置を外部へ出力する（ステップＳ１０９）。たとえば、最も低い電圧値が第２電極３３ｂで検出され、その０．２５秒前の測定では、第２電極３３ｅで最も低い電圧値が検出された場合には、ＣＰＵ４２は、第２電極３３ｂの位置をタッチしたと認識し、当該位置の情報を出力できる。また、最も低い電圧値が第２電極３３ｂで検出され、その０．２５秒前の測定では、どの第２電極３３でも電圧値が低下しなかった場合にも、ＣＰＵ４２は、第２電極３３ｂの位置をタッチしたと認識し、当該位置の情報を出力できる。この結果、たとえば、音響機器１は、当該位置に隣り合う楽曲リストの楽曲を選択する。
【００４４】
なお、ＣＰＵ４２は、ステップＳ１０８において最も電圧値が低い第２電極３３の位置を特定するものとしたが、このような形態に限らない。たとえば、ＣＰＵ４２が、２箇所の第２電極３３で電圧値が低下したことを確認した場合には、２箇所の第２電極３３の中間が押圧されたと認識しても良い。かかる場合には、触れた位置をより正確に認識することができる。
【００４５】
なお、２以上の第一突出部１１が押し下げられた場合には、最も低い電圧値を検出した第２電極３３を特定するのではなく、検出された電圧値の比により、第２電極３３ａ，３３ｂ，３３ｃ，３３ｄ，３３ｅの位置以外の部分に触れたと認識してもよい。たとえば、第２電極３３ａにて１Ｖの電圧値が検出され、第２電極３３ｂにて２Ｖの電圧値が検出された場合には、第２電極３３ａと第２電極３３ｂとの間を、２：１で分割する位置にユーザーが触れたと判断してもよい。
【００４６】
上述のような音響機器１の構成とすることで、入力部材２によりスライド操作およびタッチ操作の両方が可能となる。たとえば、音響機器１において、タッチ操作が行われたときには、制御部４０は、触れた位置に対応する楽曲を選択する。一方、スライド操作が行われたときには、そのスライド方向に応じて楽曲リストをスクロールできる。
【００４７】
以上、本発明の入力部材２およびそれを用いた電子機器としての音響機器１の実施の形態について説明したが、本発明は、上述の実施の形態に限定されることなく、種々変形を施して実施可能である。
【００４８】
たとえば、上述の実施の形態では、電子機器として車載用の音響機器１を例に説明したが、音響機器以外の機器、例えば、携帯電話、モバイルコンピュータ、音楽再生用端末、携帯テレビ、車載用エアーコンディショナーあるいは上記各機器の操作用リモートコントローラ等であっても良い。たとえば、車載用エアーコンディショナーに入力部材２を設けた場合には、ユーザーは、スライド操作で温度を上下に微調節することができると共に、タッチ操作で所望の温度に調整できるようにしてもよい。また、入力部材２は、音響機器１以外の入力用装置、たとえば、風量、音量あるいは光量等の調節部材であってもよい。また、入力部材２を車載用の電子機器に用いる場合には、入力部材２の操作面から突出するレバーやキー等の突出物がない。そのため、自動車事故等の際に、突出物とぶつかって怪我等をすることが少なくなる。
【００４９】
また、上述の実施の形態において、第一突出部１１は、直線上に５つ設けるものとしたが、４個以下の第一突出部１１を設けてもよいし、６個以上の第一突出部１１を設けてもよい。また、各第一突出部１１は、等間隔で配置されなくてもよい。さらに、複数の第一突出部１１が、操作板１０側で連接されていてもよい。
【００５０】
上述の実施の形態では、入力部材２は、操作面から見て長帯状の操作面を有するが、このような形態に限らない。たとえば、操作板１０を操作面から見て長帯状の他、楕円状、湾曲した帯状等あるいはその一部を用いたような形状としてもよい。図１０は、本実施の形態の入力部材２の操作板１０の変形例である。なお、図１０では、第一突出部１１が配置される位置を点線で示している。図１０に示すように、入力部材２の操作板１０Ａは、２つの長帯が交差したような形状（いわゆる、十字状）である。十字状の操作板１０Ａを有する入力部材とした場合には、図１０の紙面上下方向の他、紙面左右方向への入力も、本実施の形態で説明した方法と同様の方法にて特定できる。
【００５１】
上述の実施の形態では、操作板１０は、１つの部材から構成されているが、このような形態に限らない。図１１は、本実施の形態の変形例に係る操作板１０Ｂの断面図である。図１１で示すように、入力部材２の操作板１０Ｂは、複数の部材から構成されていても良い。たとえば、操作板１０Ｂは、図１１に示すように、第一突出部１１が並ぶ方向に隣接する複数の操作板用部材５０から構成されていてもよい。また、各操作板用部材５０の操作面と逆側の面に、第一突出部１１をそれぞれ有している場合には、各操作板用部材５０への押圧荷重が、導電性シート２０に伝達されやすい。核操作板用部材５０は、隣接する操作板用部材５０から独立して上下できるためである。また、図１１のように、複数の操作板用部材５０の操作面側を覆う操作面用シート６０が設けられても良い。操作面用シート６０を設けることにより、ユーザーがスライド操作する際に、各操作板用部材５０の隣接部分にて指がひっかかりにくくなる。
【００５２】
上述の実施の形態においては、操作板１０は、厚さに変化のある部材としている。しかし、操作板１０の形態は、このような形態に限らない。操作板１０は、略一定の厚さを有するシート状の部材であってもよい。また、長手方向の厚さ変化があるのではなく、短手方向の厚さ変化があってもよい。
【００５３】
上述の実施の形態においては、第一突出部１１は、ゴム状弾性体から形成されるものとしたが、このような形態に限らない。たとえば、樹脂あるいは金属（比較的柔らかい方が好ましい）からなる成形体であっても良い。また、図３等では、第一突出部１１がバー部材２１から離間しているが、このような形態に限らない。第一突出部１１は、弾性シート２０を撓ませない程度でバー部材２１に接していてもよい。
【００５４】
上述の実施の形態において、導電性シート２０は、導電性弾性体から構成されるシートとしたが、このような形態に限らない。たとえば、導電性シート２０の基材は、絶縁性の弾性体から構成され、導電性シート２０の裏面側が導電性の層で覆われているような形態であってもよい。たとえば、カーボンブラック等の導電性部材を含まない弾性体から構成されるシートの裏面に、印刷手法等で導電性インク層または金属薄膜層を形成する、あるいは金属蒸着等で金属薄膜を形成することもできる。
【００５５】
上述の実施の形態において、バー部材２１は、入力部材２の長手方向に伸びる直線上の部材であるが、このような形態に限らない。第一突出部１１と対向する位置に設けられる突出形状を有する部材であれば、どのような形態であってもよい。しかし、バー部材２１が入力部材２の長手方向に延びている場合には、操作板１０に触れた状態で長手方向に向かってユーザーが指をスライドさせた場合に、押圧力を導電性シート２０により効率よく伝達できる。
【００５６】
なお、スペーサ２２は、必須の構成ではなく、導電性シート２０と電極群３１とが電気的に非接触の状態に保つ他の手段があれば、スペーサ２２は、なくてもよい。また、スペーサ２２は、導電性シート２０の裏面側ではなく、基板３０の表面側に設けられても良い。
【００５７】
上述の実施の形態において、電極群３１を一対の櫛歯形状の電極としとしたが、このような形態に限らない。電極群３１を櫛歯形状の電極ではなく、円を略半分に分割した半円形状の電極あるいは円を略４分の１に分割した扇形状の電極から構成することもできる。しかし、櫛歯形状の電極を用いる場合には、操作板１０を押圧する量が小さい場合にも、検知感度が優れている。なぜなら、櫛歯形状の電極を用いると、第一突出部１１が容易に一対の電極両方に接触できるが、扇状等の電極の場合、一方の極にしか第一突出部１１が触れない場合があるからである。
【００５８】
上述の実施の形態において、検出部４１は、０．２５秒毎に電圧値を測定するものとしたが、このような形態に限らない。検出部４１は、０．２５秒未満あるいは０．２５秒よりも長い時間毎に電圧値を測定してもよい。
【００５９】
上述の実施の形態のステップＳ１０３は、隣接した第２電極３３に０．２５秒前に触れたか否かを判定するステップであるが、このようなステップに限らない。ステップＳ１０３は、所定時間内にある一定範囲内を触れたか否かを判定するようなステップでもよい。また、ステップＳ１０３を、所定時間内に３以上の電極群３１にて電圧の変動が生じたか否かを判別するステップとし、生じた場合にスライド動作が行われたと判断する一方、生じていない場合にタッチ操作が行われたと判断するようにしてもよい。
【００６０】
図９では、検出時刻に関連付けた電圧値を、各第２電極３３に記憶したテーブルを例示しているが、このような形態に限らない。ある閾値よりも低い電圧値を検出した第２電極３３のみをテーブルに記憶してもよい。あるいは、ステップＳ１０２は、ＣＰＵ４２が電圧値に基づきユーザーが触れた位置を算出し、その算出した位置をテーブルに書き込むようなステップでもよい。また、検出時刻と測定値とを関連付けるのではなく、測定回数等と測定値とを関連付けても良い。
【００６１】
また、上述の実施の形態において、ＣＰＵ４２は、ステップＳ１０４において、記憶部４３に格納された過去の計測値と比較して、判断を行っている。しかし、このような形態ではなく、次に測定された計測値と比較することでスライド操作がなされたか、あるいはタッチ操作がなされたかを判断しても良い。
【００６２】
また、上述の実施の形態では、一方向へのスライド操作のみを例示したが、たとえば、中央に向かって両端からスライドするようなスライド操作、あるいは、中央から両端に向かってスライドするようなスライド操作を認識できるようにしてもよい。また、制御部４０は、スライド操作のみあるいはタッチ操作のみを特定してもよい。さらに、制御部４０は、スライド操作の方向を特定せずに、スライド操作である旨だけを特定してもよい。
【産業上の利用可能性】
【００６３】
本発明は、たとえば、各種電子機器、およびそれが備える入力部材等に利用することができる。
【符号の説明】
【００６４】
１      音響機器（電子機器）
２      入力部材
１０，１０Ａ，１０Ｂ    操作板
１１    第一突出部
２０    導電性シート
２１    バー部材（凸部）
２２    スペーサ（第二突出部）
３０    基板
３１    電極群
３２    第１電極
３３，３３ａ，３３ｂ，３３ｃ，３３ｄ，３３ｅ    第２電極（電極、第２電極）
【図１】
0005415336.tif 000002
【図２】
0005415336.tif 000003
【図３】
0005415336.tif 000004
【図４】
0005415336.tif 000005
【図５】
0005415336.tif 000006
【図６】
0005415336.tif 000007
【図７】
0005415336.tif 000008
【図８】
0005415336.tif 000009
【図９】
0005415336.tif 000010
【図１０】
0005415336.tif 000011
【図１１】
0005415336.tif 000012